(57)【要約】【課題】  リモコン装置のリモコン回路基板をマイコン周辺回路基板とキー操作部回路基板に分割して形成して、マイコン周辺回路基板とキー操作部回路基板とを組み合わせて客先ごとの仕様に迅速に対応でき、マイコン周辺回路基板の共有化ができて、開発設計費を削減できると共に開発期間の短縮ができ、半田付けを必要とせず作業工数を少なくできる。【解決手段】  リモコン装置１内に配置されるリモコン回路基板５がマイコン周辺回路基板６とキー操作部回路基板７に分割され、マイコン周辺回路基板６に半田付き銅箔パターン１０が形成され、キー操作部回路基板７には半田付き銅箔パターン１０に対応するカーボンパターン１１が形成され、マイコン周辺回路基板６が裏向きにされた状態で半田付き銅箔パターン１０がキー操作部回路基板７のカーボンパターン１１に接続された状態で、キー操作部回路基板７にマイコン周辺回路基板６がビス８で取り付け固定される。【選択図】  図２
2008282849.tif 000002
【特許請求の範囲】
【請求項１】
リモコン装置内に配置される基板の構造において、リモコン回路基板がマイコン周辺回路基板とキー操作部回路基板に分割して形成され、前記マイコン周辺回路基板には半田付き銅箔パターンもしくはカーボンパターンが形成され、前記キー操作部回路基板には前記半田付き銅箔パターンもしくはカーボンパターンに対応するカーボンパターンが形成されており、前記マイコン周辺回路基板が裏向きにされた状態でその半田付き銅箔パターンもしくはカーボンパターンが前記キー操作部回路基板のカーボンパターンに接続された状態で、前記キー操作部回路基板に前記マイコン周辺回路基板が固定手段により取り付け固定されるように構成され、必要に応じて前記キー操作部回路基板が取り替えられて前記マイコン周辺回路基板が共有化されるようにしたことを特徴とするリモコン装置の基板構造。
【請求項２】
前記固定手段は、前記マイコン周辺回路基板に形成されたビス穴と前記キー操作部回路基板に形成されたビス穴に螺入されて前記マイコン周辺回路基板と前記キー操作部回路基板とを取り付け固定するビスからなる請求項１に記載のリモコン装置の基板構造。
【請求項３】
前記固定手段は、前記リモコン装置の下側に配置されたボトムケースから上向きに突設され、前記マイコン周辺回路基板に形成された貫通穴と前記キー操作部回路基板に形成された貫通穴とに係入係止されて、前記マイコン周辺回路基板と前記キー操作部回路基板とを取り付け固定する係止突起からなる請求項１に記載のリモコン装置の基板構造。
【発明の詳細な説明】
【技術分野】
【０００１】
本発明は、リモコン装置内に配置された基板の構造に関し、特に、基板をマイコン周辺回路基板とキー操作部回路基板に分割して取替え可能に接続するようにしたリモコン装置の基板構造に関するものである。
【背景技術】
【０００２】
一般に、リモコン装置は、図５に示すように、ボトムケース１０１とトップケース１０２とリモコン回路基板１０３と複数のファンクションボタン１０４が設けられたラバー１０５とで構成されている。従来、この種のリモコン装置では、リモコン回路基板１０３が１枚でできていたために、このリモコン回路基板１０３のマイコン周辺回路はほぼ決まった構成であり、キー操作部のレイアウト変更が客先の要求により異なることにより、異なるリモコン回路基板１０３を複数必要とする問題があった。
【０００３】
第１の従来技術を図６、図７（ａ）（ｂ）に示す。この従来のプリント基板の接続構造は、図６に示すように、共通基板２０１上には付加機能等の電気回路を搭載する補助基板２０２，２０３が半田付されて接続されている。この両基板の接続構造は、第７図（ａ）に示すように、補助基板２０２の端部に、一列に配列したスルーホールを中心軸に沿って分割し、形成した半円状端子２０４、２０４、２０４であり、それぞれの半円状端子２０４、２０４、２０４は補助基板２０２内の回路に電気的に接続されている。そして、前記半円状端子２０４、２０４、２０４に対応するランド２０５、２０５、２０５が共通基板２０１上に形成され、共通基板上の回路に電気的に接続されている。そして両基板は第７図（ｂ）に示すように、各半円状端子２０４、２０４、２０４とランド２０５、２０５、２０５をそれぞれ半田２０６により半田付けを行ない、両基板を電気的及び機械的に接合、一枚化するものである。（例えば、特許文献１参照）。
【０００４】
ところが、これにおいては、各半円状端子２０４、２０４、２０４とランド２０５、２０５、２０５をそれぞれ半田２０６で半田付けする必要があり、作業工数が多いという問題があった。
【０００５】
第２の従来技術を図８、図９に示す。この従来のリモコンスイッチ用配線基板は、リモコンスイッチ３０１の絶縁ハウジング３０２内に配設される面実装基板３０３は、図８及び図９に示すようにＳＭＴに対応したパターン印刷と、実装された固定接点３０３ａ、３０３ｂ群の上に対峙した可動接点３０４ａを備えたスイッチ３０４群等を配置し、後部にはバッテリーを内蔵するバッテリー室３９１を備え、デスクリート部品３０８をモジュール化したデスクリートモジュール基板３０９を直交状態に結合する構造である。そして、種々の信号を制御するＳＭＴ対応部品ＬＳＩ３０３ｅ、レジスター３０３ｆ及びトランス３０３ｇ等がパターン印刷された上に実装されている。このＬＳＩ３０３ｅ等は、例えば各スイッチ３０４が押された場合に適宜内蔵されているＲＯＭからデータを読み出してＬＥＤを発光させる等の機能を備えている。固定接点３０３ａ、３０３ｂは、一定間隔を維持した凹凸の導電材を組み合わせた接点である。可動接点３０４ａは、導電性のゴム状の接点であって、固定接点３０３ａ、３０３ｂとの電気的接続をする。デスクリートモジュール基板３０９は、図９に示すように面実装基板３０３と結合した時に実装効率を上げるように複数の結合脚３０９ａを備え、この結合脚３０９ａを面実装基板３０３に設けてある結合穴３０３ｄに起立状態、即ち嵌合して直交状態で多面付けできる構成にした。（例えば、特許文献２参照）。
【０００６】
ところが、これにおいては、面実装基板３０３にデスクリートモジュール基板３０９を縦向きに接続するものであった。
【特許文献１】実開昭５９−１８０４７０号公報
【特許文献２】実開平５−５９８７６号公報
【発明の開示】
【発明が解決しようとする課題】
【０００７】
本発明は、上記従来の問題に鑑みてなされたものであって、リモコン装置のリモコン回路基板をマイコン周辺回路基板とキー操作部回路基板に分割して形成することにより、マイコン周辺回路基板とキー操作部回路基板とを各々組み合わせて客先ごとの仕様に迅速に対応することができ、マイコン周辺回路基板の共有化ができて、開発設計費を削減できると共に開発期間の短縮ができ、更に、半田付けを必要とせず作業工数を少なくすることができるリモコン装置の基板構造を提供することを目的としている。
【課題を解決するための手段】
【０００８】
本発明は、上記課題を解決するために提案されたものであって、請求項１に記載の発明は、リモコン装置内に配置される基板の構造において、リモコン回路基板がマイコン周辺回路基板とキー操作部回路基板に分割して形成され、前記マイコン周辺回路基板には半田付き銅箔パターンもしくはカーボンパターンが形成され、前記キー操作部回路基板には前記半田付き銅箔パターンもしくはカーボンパターンに対応するカーボンパターンが形成されており、前記マイコン周辺回路基板が裏向きにされた状態でその半田付き銅箔パターンもしくはカーボンパターンが前記キー操作部回路基板のカーボンパターンに接続された状態で、前記キー操作部回路基板に前記マイコン周辺回路基板が固定手段により取り付け固定されるように構成され、必要に応じて前記キー操作部回路基板が取り替えられて前記マイコン周辺回路基板が共有化されるようにしたことを特徴としている。
【０００９】
請求項２に記載の発明は、請求項１に記載の発明において、前記固定手段は、前記マイコン周辺回路基板に形成されたビス穴と前記キー操作部回路基板に形成されたビス穴に螺入されて前記マイコン周辺回路基板と前記キー操作部回路基板とを取り付け固定するビスからなるものである。
【００１０】
請求項３に記載の発明は、請求項１に記載の発明において、前記固定手段は、前記リモコン装置の下側に配置されたボトムケースから上向きに突設され、前記マイコン周辺回路基板に形成された貫通穴と前記キー操作部回路基板に形成された貫通穴とに係入係止されて、前記マイコン周辺回路基板と前記キー操作部回路基板とを取り付け固定する係止突起からなるものである。
【発明の効果】
【００１１】
請求項１に記載の発明によれば、リモコン装置のリモコン回路基板をマイコン周辺回路基板とキー操作部回路基板に分割して形成することにより、マイコン周辺回路基板とキー操作部回路基板とを各々組み合わせて客先ごとの仕様に迅速に対応することができ、マイコン周辺回路基板の共有化ができて、開発設計費を削減できると共に開発期間の短縮ができ、更に、半田付けを必要とせず作業工数を少なくすることができる。また、修理部品の点数を削減することができ、キー操作部回路基板を短くすることができて、基板の基材におけるキー操作部回路基板の取り数を多くすることができる。更に、固定手段により、マイコン周辺回路基板とキー操作部回路基板を取り付け固定することができるので、半田付けを必要とせず作業工数を少なくすることができる。
【００１２】
請求項２に記載の発明によれば、固定手段がビスであるから、ビスでマイコン周辺回路基板とキー操作部回路基板を簡単に取り付け固定することができ、半田付けを必要とせず作業工数を少なくすることができる。
【００１３】
請求項３に記載の発明によれば、固定手段がボトムケースから上向きに突設された係止突起であるから、マイコン周辺回路基板とキー操作部回路基板を取り付け固定するためにビスを必要とせず部品点数の削減を図ることができると共に半田付けを必要とせず作業工数を少なくすることができ、取り付け固定作業を簡単に行うことができる。
【発明を実施するための最良の形態】
【００１４】
以下、本発明に係るリモコン装置の基板構造の実施の形態について、図を参照しつつ説明する。
【００１５】
図１は本発明の第１実施形態のリモコン装置の基板構造におけるリモコン装置の全体構成を示す分解斜視図、図２はキー操作部回路基板にマイコン周辺回路基板を裏返しした状態で取り付ける前の状態を示す分解斜視図、図３（ａ）はキー操作部回路基板にマイコン周辺回路基板をビスで取り付けた状態を示す拡大斜視図、（ｂ）はキー操作部回路基板の半田付き銅箔パターンとマイコン周辺回路基板のカーボンパターンとが接続された状態を示す説明図である。
【００１６】
この第１実施形態のリモコン装置の基板構造は、リモコン装置１がボトムケース２とトップケース３とこれらのボトムケース２とトップケース３内に配設されるラバー４とリモコン回路基板５とで構成されている。リモコン回路基板５は、マイコン周辺回路基板６とキー操作部回路基板７とに分割して形成され、ビス８をマイコン周辺回路基板６に形成されたビス穴６ａとキー操作部回路基板７に形成されたビス穴７ａに螺入してマイコン周辺回路基板６とキー操作部回路基板７とを取り付け固定されるように構成されている。また、ラバー４には複数のファンクションボタン４ａが形成され、これらのファンクションボタン４ａがトップケース３に形成された複数のボタン挿入穴３ａに嵌め込まれるように構成されている。図２に示すように、マイコン周辺回路基板６には、リモコンＩＣ９と後端が横向きにジクザク状に形成された半田付き銅箔パターン１０が設けられ、キー操作部回路基板７には先端が縦向きにジクザク状に形成されたカーボンパターン１１が設けられている。
【００１７】
マイコン周辺回路基板６は図２に示すように、裏返してキー操作部回路基板７に端部が重ねられるようになっている。また、キー操作部回路基板７にはラバー４の裏側に設けられたカーボン（図示略）がファンクションボタン４ａを押したときにこのカーボンが接触する複数のカーボンパターン１２が設けられている。尚、図示しないが、カーボンパターン１２は、ラバー４に設けられた各ファンクションボタン４ａに対応して複数設けられているものである。図３（ａ）（ｂ）に示すように、マイコン周辺回路基板６を裏返してキー操作部回路基板７にビス８で取り付け固定した際に、マイコン周辺回路基板６の半田付き銅箔パターン１０のジクザク状部分がキー操作部回路基板７のカーボンパターン１１のジクザグ状部分に接触するようになっている。
【００１８】
従って、この第１実施形態によれば、リモコン装置１のリモコン回路基板５をマイコン周辺回路基板６とキー操作部回路基板７に分割して形成することにより、マイコン周辺回路基板６とキー操作部回路基板７とを各々組み合わせて客先ごとの仕様に迅速に対応することができ、マイコン周辺回路基板６の共有化ができて、開発設計費を削減できると共に開発期間の短縮ができ、更に、半田付けを必要とせず作業工数を少なくすることができる。また、修理部品の点数を削減することができ、キー操作部回路基板７を短くすることができて、基板の基材におけるキー操作部回路基板７の取り数を多くすることができる。更に、ビス８を使用したことにより、ビス８でマイコン周辺回路基板６とキー操作部回路基板７を簡単に取り付け固定することができ、半田付けを必要とせず作業工数を少なくすることができる。また、マイコン周辺回路基板６の半田付き銅箔パターン１０のジクザク状部分がキー操作部回路基板７のカーボンパターン１１のジクザグ状部分に接触するから、半田付き銅箔パターン１０とカーボンパターン１１を確実に接触させることができる。
【００１９】
尚、この第１実施形態では、マイコン周辺回路基板６に半田付き銅箔パターン１０を設けたものについて説明したが、これに限らず、カーボンパターンを設けてもよいことは勿論である。
【００２０】
図４は第２実施形態のリモコン装置の基板構造におけるキー操作部回路基板とマイコン周辺回路基板をボトムケースに設けられた係止突起で取り付け固定した状態を示す部分拡大断面図である。
【００２１】
この第２実施形態のリモコン装置の基板構造は、図４に示すように、リモコン装置１の下側に配置されたボトムケース２から係止突起２ａが上向きに突設され、マイコン周辺回路基板６に形成された貫通穴６ｂとキー操作部回路基板７に形成された貫通穴７ｂとに係入係止されて、マイコン周辺回路基板６とキー操作部回路基板７とを取り付け固定するようにしている。尚、図４において、符号１３はボトムケース２から上向きに突設されてマイコン周辺回路基板６とキー操作部回路基板７を支持する支えボスである。
【００２２】
従って、この第２実施形態によれば、ボトムケース２から上向きに突設された係止突起２ａでマイコン周辺回路基板６とキー操作部回路基板７を取り付け固定するようにしているから、ビスを必要とせず部品点数の削減を図ることができると共に半田付けを必要とせず作業工数を少なくすることができ、取り付け固定作業を簡単に行うことができる。
【図面の簡単な説明】
【００２３】
【図１】本発明の第１実施形態のリモコン装置の基板構造におけるリモコン装置の全体構成を示す分解斜視図である。
【図２】キー操作部回路基板にマイコン周辺回路基板を裏返しした状態で取り付ける前の状態を示す分解斜視図である。
【図３】（ａ）はキー操作部回路基板にマイコン周辺回路基板をビスで取り付けた状態を示す拡大斜視図、（ｂ）はキー操作部回路基板の半田付き銅箔パターンとマイコン周辺回路基板のカーボンパターンとが接続された状態を示す説明図である。
【図４】第２実施形態のリモコン装置の基板構造におけるキー操作部回路基板とマイコン周辺回路基板をボトムケースに設けられた係止突起で取り付け固定した状態を示す部分拡大断面図である。
【図５】従来のリモコン装置の基板構造におけるリモコン装置の全体構成を示す分解斜視図である。
【図６】従来のプリント基板の接続構造を示す斜視図である。
【図７】（ａ）は同接続構造の半田付け前の状態を示す部分拡大斜視図、（ｂ）は（ａ）の状態から半田付け完了後の部分拡大斜視図である。
【図８】従来のリモコンスイッチ用配線基板を含むリモコンスイッチの断面図である。
【図９】同配線基板におけるデスクリートモジュール基板と面実装基板との結合関係を表した概略斜視図である。
【符号の説明】
【００２４】
１        リモコン装置
２        ボトムケース
２ａ      係止突起
３        トップケース
３ａ      ボタン挿入穴
４        ラバー
４ａ      ファンクションボタン
５        リモコン回路基板
６        マイコン周辺回路基板
６ａ      ビス穴
６ｂ      貫通穴
７        キー操作部回路基板
７ａ      ビス穴
７ｂ      貫通穴
８        ビス
９        リモコンＩＣ
１０      半田付き銅箔パターン
１１      カーボンパターン
１２      カーボンパターン
１３      支えボス
【図１】
2008282849.tif 000003
【図２】
2008282849.tif 000004
【図３】
2008282849.tif 000005
【図４】
2008282849.tif 000006
【図５】
2008282849.tif 000007
【図６】
2008282849.tif 000008
【図７】
2008282849.tif 000009
【図８】
2008282849.tif 000010
【図９】
2008282849.tif 000011